(57)【要約】  外科用ツールを解放可能に保持するための装置は、本体を有し、本体は、長手方向軸と、モノリシック構造と、人間の手で握るように配分された形状と、を有し、ツール係合部分、手受け部分、およびボタン押圧部分をさらに有する。縦方向ボアが本体の長手方向軸に沿って、一端に配置されている。横方向ボアが本体を貫通して縦方向ボア内に配置され、横方向ボアは、横方向ボアの長手方向軸が縦方向ボアの長手方向軸と交差するように配置される。ボタンが本体の外部のボタン押圧部分に弾性部材で配置され、かつ枢動可能に取り付けられ、ボタンはツール係合部分の近位にある。ボタンは、ボタンボアと、ボタンボアから縦方向ボアと整列可能な横方向ボア内に延在するボスと、を有する。ボタンは、親指で押すことができるように本体に配置され、ボタンは、外科用ツールの対応する溝に選択的に係合するのに適している。
2021514812.tif 000002
【特許請求の範囲】
【請求項１】
外科用ツールを解放可能に保持するための装置であって、前記装置は、
本体であって、長手方向軸と、人間の手で握るように配分された形状と、モノリシック構造と、を含み、ツール係合部分、手受け部分、およびボタン押圧部分をさらに含む、本体と、
縦方向ボアであって、前記縦方向ボアは前記本体の前記長手方向軸に沿って配置され、前記ツール係合部分で一端が開いており、前記ボタン押圧部分まで延在し、ここで前記縦方向ボアは前記外科用ツールを受け入れるように配置された、縦方向ボアと、
横方向ボアであって、前記本体を貫通して前記縦方向ボア内に配置され、前記横方向ボアの前記長手方向軸が前記縦方向ボアの前記長手方向軸と交差するように配置された横方向ボアと、
ボタンであって、前記ボタンは前記本体の外部の前記ボタン押圧部分に弾性部材で配置され、かつ回転可能に取り付けられ、前記ボタンは前記ツール係合部分の近位にあり、前記ボタンは、ボタンボアと、前記ボタンボアから延在し、かつ前記縦方向ボアと整列可能なボスと、をさらに含み、前記ボタンは、親指で押すことができるように前記本体上に配置され、前記ボタンは、前記ボタンが押されると前記ボスが溝から外れるように、前記外科用ツール上の対応する前記溝に選択的に係合するのに適している、ボタンと、
を含む、外科用ツールを解放可能に保持するための装置。
【請求項２】
前記本体は、熱可塑性ポリマーおよびガラス繊維強化ポリマーからなる群から選択される軽量で使い捨てのリサイクル可能な材料を含む、請求項１に記載の外科用ツールを解放可能に保持するための装置。
【請求項３】
外科用ツールを解放可能に保持するための装置であって、前記装置は、
本体であって、長手方向軸と、人間の手で握るように配分された形状と、モノリシック構造と、を含み、ツール係合部分、手受け部分、およびボタン押圧部分をさらに含む、本体と、
縦方向ボアであって、前記縦方向ボアは前記本体の前記長手方向軸に沿って配置され、前記ツール係合部分で一端が開いており、前記ボタン押圧部分まで延在し、ここで前記縦方向ボアは前記外科用ツールを受け入れるように配置された、縦方向ボアと、
横方向ボアであって、前記本体を貫通して前記縦方向ボア内に配置され、前記横方向ボアの前記長手方向軸が前記縦方向ボアの前記長手方向軸と交差するように配置された横方向ボアと、
ボタンであって、前記ボタンは前記本体の外部の前記ボタン押圧部分に弾性部材で配置され、かつ回転可能に取り付けられたボタンであって、前記ボタンは前記ツール係合部分の近位にあり、前記ボタンは、ボタンボアと、前記ボタンボアから延在し、かつ前記縦方向ボアと整列可能なボスと、をさらに含み、前記ボスは前記外科用ツールの対応する溝と係合可能であり、前記ボタンは、親指で押すことができるように前記本体に配置され、前記ボタンは、前記ボタンが押されたときに前記ボスが溝から外れるのを防止するように、外科用ツールの対応する前記溝に選択的に係合するのに適している、ボタンと、
を含む、外科用ツールを解放可能に保持するための装置。
【請求項４】
前記本体は、熱可塑性ポリマーおよびガラス繊維強化ポリマーからなる群から選択される軽量で使い捨てのリサイクル可能な材料を含む、請求項３に記載の外科用ツールを解放可能に保持するための装置。
【請求項５】
外科用ツールを解放可能に保持するための装置であって、前記装置は、
本体であって、長手方向軸と、人間の手で握るように配分された形状と、モノリシック構造と、を含み、ツール係合部分、手受け部分、およびボタン押圧部分をさらに含む、本体と、
縦方向ボアであって、前記縦方向ボアは前記本体の前記長手方向軸に沿って配置され、前記ツール係合部分で一端が開いており、前記ボタン押圧部分まで延在し、ここで前記縦方向ボアは前記外科用ツールを受け入れるように配置された、縦方向ボアと、
横方向ボアであって、前記本体を貫通して前記縦方向ボア内に配置され、前記横方向ボアの前記長手方向軸が前記縦方向ボアの前記長手方向軸と交差するように配置された横方向ボアと、
ボタンであって、前記ボタンは前記本体の外部の前記ボタン押圧部分に弾性部材で配置され、かつ回転可能に取り付けられたボタンであって、前記ボタンは前記ツール係合部分の近位にあり、前記ボタンは、前記本体を貫通し、前記横方向ボアを貫通して配置され、前記ボタンは、第１の側と反対側の第２の側とを有し、
前記ボタンは、ボタンボアと、前記ボタンボアから延在し、かつ前記縦方向ボアと整列可能なボスと、をさらに含み、前記第１の側は、親指で押すことができるように前記本体上に配置され、前記第１の側は、前記ボタンが押されると前記ボスが溝から外れるように、前記外科用ツール上の対応する前記溝に選択的に係合するのに適しており、前記第２の側は、人差し指で押すことができるように前記本体に配置され、前記第２の側は、前記第２の側が押されたときに前記ボスが溝から外れるのを防止するように、外科用ツールの対応する前記溝に選択的に係合するのに適している、ボタンと、
を含む、外科用ツールを解放可能に保持するための装置。
【請求項６】
前記本体は、熱可塑性ポリマーおよびガラス繊維強化ポリマーからなる群から選択される軽量で使い捨てのリサイクル可能な材料を含む、請求項５に記載の外科用ツールを解放可能に保持するための装置。
【発明の詳細な説明】
【相互参照】
【０００１】
本願は、２０１８年２月２７日に提出された米国仮特許出願第６２／６３６，１１４号に対する米国特許法第１１９条（ｅ）に基づく優先権の利益を主張し、その内容は、以下に完全に記載されているかのようにすべての目的のために全体として記載されているかのように、参照により本明細書に組み込まれる。
【技術分野】
【０００２】
本発明は、外科用器具または装置用の迅速な取り外しハンドルに関する。
【発明の背景】
【０００３】
器具のハンドルと外科用構成要素との間に、迅速に解放可能で、操作がほとんど必要なく、所与のインサーターハンドルと組み合わせる様々な補綴構成要素の構成に対応できるインターフェースがあると、多くの場合、現場にとって有利である。さらに、以下に示すように、公知の従来技術は、これらの利点を組み込んだ使い捨て装置を開示していない。
【０００４】
米国特許第４４２１１０８号は、開創器が弛緩しているときにホルダがリング部材から外れないようにするばね戻り止めを含む、外科用開創器のための迅速解放ラチェットホルダを開示している。
【０００５】
米国特許第５４４３４７１号は、補綴を埋め込む際に使用するためのハンドルが、細長い本体部分と本体部分の端部に保持後構造とを有することを開示している。ポスト保持部分または構造は、例えばブローチまたはやすりに接続されたポストを受け入れるためにその中に形成されたボアを有するコア部材を含む。コア部材はまた、ボアと連通してその中に形成されたチャネルと、ボアと連通したチャネルの遠位端のロック位置と解放位置との間でチャネル内で移動可能なボスと、を含む。スプリングとカラーが提供され、カラーがコア部材上をスライドし、ボスをチャネル内で移動させ、ボスをロック位置に保持し、ばねがカラーをボスを保持するコアの前端に向かって付勢および／または移動するようになっている。可動スリーブがカラーとばねにフィットし、カラーと係合してカラーを移動させてチャネル内のボスを解放するための肩が付いている。
【０００６】
米国特許第５４９９９８６号は、髄内釘を引っ張るための迅速解放ハンドル装置を開示しており、ロック要素を有する内側円筒状部材の上に外側円筒状部材を動かすスライドプッシュロッドを備えたハンドル本体を含む。ロック要素は、髄内釘に取り付けられる釘抜き要素の環状溝に係合する。外筒は、ロッキングボールで内筒と重なり、ロック位置を規定する。
【０００７】
米国特許第５５８２６１５号は、止血クリップの適用に重点を置いて内視鏡手術で使用できる外科器具用のアクチュエータハンドルを開示している。器具は、アクチュエータハンドルから長手方向の入力を受け取り、その入力を相対的な構成要素の動きに変換して、止血クリップを適用する。改良されたハンドルは、主に、蒸気滅菌による分解に対する優れた耐性を持つ再利用可能なエンジニアリング樹脂で製造されている。アクチュエータハンドルの他の改良点は、滅菌されたものを容易にするために組み立てられたユニットとしてアクチュエータハンドルから取り外すことができる単一構造の駆動ステム機構を含む。アクチュエータハンドルには、駆動ステム機構の取り外しと交換を容易にする迅速解放機構が付いている。改良されたアクチュエータハンドルは、ユーザが手術器具に伝達される長手方向の入力力を段階的に調整できるラチェット機構も備えており、これを選択的に操作するためのスイッチを備えている。アクチュエータハンドルはまた、外科用器具とアクチュエータハンドルとの選択的係合のために駆動ステム機構に統合された安全ロック機構を含み、外科的処置中の偶発的な分離を防止する。
【０００８】
米国特許第７３８１２０７号は、その上に雄リップを有する遠位端を含む再利用可能なアセンブリを含む迅速取り外しアセンブリと、再利用可能なアセンブリと共に利用されるときに迅速な取り外し能力を有する使い捨てアセンブリと、を開示している。使い捨てアセンブリは、ステム部分と、フィンガロック要素と、取り外し可能なハンドルアセンブリと、を含む。指ロック要素は、ステム部分のねじ付き外面と係合するためのねじ付き内面を有する遠位フィンガロック要素部分と、遠位フィンガロック要素部分から近位方向に延在する複数の半径方向に離間したフィンガと、を含む。各フィンガは、ａ）使用中にステム部分上の関連するランプ部分に動作可能に係合するためのランプ面と、ｂ）その近位端の雌リップと、を有する。取り外し可能なハンドルアセンブリは、フィンガロック要素の外面と動作可能に係合して、それらの間の相対的な回転および軸方向の動きに抵抗する内面を有する遠位端を有する近位ハンドル部分を含む。取り外し可能なハンドルアセンブリの遠位ハンドル部分は、ステム部分の別の外面と動作可能に係合してそれらの間の相対的な回転および軸方向の動きに抵抗する内面を有する遠位ハンドル部分を含む。取り外し可能なハンドルアセンブリの分離カラーは、近位ハンドル部分と遠位ハンドル部分との間に配置される。使い捨てアセンブリが取り付けられている場合、分離カラーは、近位ハンドル部分と遠位ハンドル部分との間の相対回転を防止する一体型ユニットであり、再利用可能なアセンブリの遠位端で雌リップが雄リップに係合し、それによって再利用可能なアセンブリを使い捨てアセンブリに固定する。迅速取り外しアセンブリは、機械的な接続のみを提供するために使用することも、流体の移動を提供するための構成要素を提供することもできる。別の実施形態では、使い捨てのみを提供する代わりに、分離可能なアセンブリの複数回の使用が、分離カラーを排除し、ばね付勢手段を利用することによって提供される。
【０００９】
米国特許第８８３４４７９号は、人工寛骨臼カップ挿入器を開示し、インパクターは本体と、本体の第１の端に配置され、カップ係合要素の外側への付勢によって使用されるカップの内面と係合するように適合されたカップ係合要素と、を有する。カップ係合要素は、その内端から完全な横断面まで断面積が増加し、前記完全な横断面からその外端まで断面積が減少する。カップ係合要素は、ボア内で移動可能な円錐状に先細にされた作動要素によって係合される先細の中央ボアを有する。カップ係合要素は、それを貫通するスロットを有し、要素がボア内のアクチュエータの動きで弾性的に拡張することを可能にする。
このように、様々な外科用ツールで使用可能な迅速解放ハンドルが必要とされている。
【発明の概要】
【００１０】
外科用ツールを解放可能に保持するための装置は、本体を有し、本体は、長手方向軸と、モノリシック構造と、人間の手で握るように配分された形状と、を有し、ツール係合部分、手受け部分、およびボタン押圧部分をさらに有する。縦方向ボアが本体の長手方向軸に沿って、一端に配置されている。横方向ボアが本体を貫通して縦方向ボア内に配置され、横方向ボアは、横方向ボアの長手方向軸が縦方向ボアの長手方向軸と交差するように配置される。ボタンが本体の外部のボタン押圧部分に弾性部材で配置され、かつ枢動可能に取り付けられ、ボタンはツール係合部分の近位にある。ボタンは、ボタンボアと、ボタンボアから縦方向ボアと整列可能な横方向ボア内に延在するボスと、を有する。ボタンは、親指で押すことができるように本体上に配置され、ボタンは、ボタンが押されるとボスが溝から外れるように、外科用ツール上の対応する溝に選択的に係合するのに適している。
【００１１】
外科用ツールを解放可能に保持するための装置は、本体を有し、本体は、長手方向軸と、モノリシック構造と、人間の手で握るように配分された形状と、を有し、ツール係合部分、手受け部分、およびボタン押圧部分をさらに有する。縦方向ボアが本体の長手方向軸に沿って、一端に配置されている。横方向ボアが本体を貫通して縦方向ボア内に配置され、横方向ボアは、横方向ボアの長手方向軸が縦方向ボアの長手方向軸と交差するように配置される。ボタンが本体の外部のボタン押圧部分に弾性部材で配置され、かつ枢動可能に取り付けられ、ボタンはツール係合部分の近位にある。ボタンは、ボタンボアと、ボタンボアから縦方向ボアと整列可能な横方向ボア内に延在するボスと、を有する。ボタンは、親指で押すことができるように本体に配置され、ボタンは、ボタンが押されたときにボスが溝から外れるのを防止するように、外科用ツールの対応する溝に選択的に係合するのに適している。
【００１２】
外科用ツールを解放可能に保持するための装置は、本体を有し、本体は、長手方向軸と、モノリシック構造と、人間の手で握るように配分された形状と、を有し、ツール係合部分、手受け部分、およびボタン押圧部分をさらに有する。縦方向ボアが本体の長手方向軸に沿って、一端に配置されている。横方向ボアが本体を貫通して縦方向ボア内に配置され、横方向ボアは、横方向ボアの長手方向軸が縦方向ボアの長手方向軸と交差するように配置される。ボタンが本体の外部のボタン押圧部分に弾性部材で配置され、かつ枢動可能に取り付けられ、ボタンはツール係合部分の近位にある。ボタンは、第１の側と、反対側の第２の側と、ボタンボアと、ボタンボアから延在し、縦方向ボアと整列可能なボスと、を有する。第１の側は、親指で押すことができるように本体上に配置され、ボタンが押されるとボスが溝から外れるように、外科用ツール上の対応する溝に選択的に係合するのに適している。第２の側は、人差し指で押すことができるように本体に配置され、ボタンの第２の側が押されたときにボスが溝から外れるのを防止するように、外科用ツールの対応する溝に選択的に係合するのに適している。
【図面の簡単な説明】
【００１３】
本発明は、以下に示す詳細な説明および本発明の好ましい実施形態の添付の図面からより完全に理解されるが、これは本発明を限定するものと解釈されるべきではなく、説明および理解のみを目的とする。
【００１４】
図面では、
【００１５】
【図１】本発明による使い捨てハンドルの正面斜視図である。
【００１６】
【図２】図１の使い捨てハンドルの下側斜視図である。
【００１７】
【図３】本発明によるボスを備えた図１の使い捨てハンドルの下側斜視図である。
【００１８】
対応する符号は、いくつかの図面を通して対応する部分を示す。本明細書に記載されている例示的な実施形態は、いかなる方法でも本発明の範囲を限定するものとして解釈されるべきではない。
【発明の詳細な説明】
【００１９】
以下、本発明を、添付図面を参照して、本発明による様々な例示的な実施形態に関して詳細に説明する。以下の詳細な説明では、本発明の完全な理解を提供するために、多くの特定の詳細が示されている。しかしながら、当業者には、本発明がこれらの特定の詳細なしに実施され得ることが明らかであろう。他の例では、本発明の不必要な曖昧さを回避するために、周知の構造は詳細には示されていない。
【００２０】
したがって、以下に説明するすべての実施態様は、当業者が本開示の実施形態を作製または使用できるようにするために提供される例示的な実施態様であり、特許請求の範囲によって定義される本開示の範囲を限定することを意図していない。本明細書で使用される場合、「例示的」または「例証的」という単語は、「例、事例、または例示として役立つ」ことを意味する。本明細書で「例示的」または「例証的」として説明される実施態様は、必ずしも他の実施態様よりも好ましいまたは有利であると解釈されるべきではない。さらに、本説明では、「上」、「下」、「左」、「後」、「右」、「前」、「垂直」、「水平」、およびそれらの派生語は、図１で方向付けられているように本発明に関係するものとする。
【００２１】
さらに、前の技術分野、背景、簡単な要約、または以下の詳細な説明で提示された明示的または暗示的な理論に拘束される意図はない。また、添付の図面に示され、以下の明細書に記載される特定の装置およびプロセスは、添付の特許請求の範囲で定義される本発明の概念の例示的な実施形態にすぎないことも理解されたい。したがって、本明細書に開示した実施形態に関連する特定の寸法および他の物理的特性は、特許請求の範囲で明確に述べられていない限り、限定と見なされるべきではない。本発明は多くの異なる形態の実施形態によって満たされるが、図面に示され、本明細書で詳細に説明されるが、本開示が本発明の原理の例示として考えられるべきであり、かつ本発明を図示の実施形態に限定することを意図するものではないという理解を伴う本発明の好ましい実施形態である。本発明の範囲は、添付の特許請求の範囲で指摘されるであろう。
【００２２】
次に図１を参照すると、本発明による使い捨ての解放可能なハンドル１０００の正面斜視図が示されている。図１に示すように、ハンドル１０００は、好ましくは人間の手によって保持されるのに適した球根形状を有する本体１００５を有することができる。ハンドル１０００は、近位端１００１および遠位端１００２をさらに有することができる。ハンドル１０００の本体１００５は、軽量で安価な生物学的に不活性な材料を有することができる。好ましくは、ハンドル１０００は、ポリアクリルアミド、ポリカーボネート、またはアクリロニトリルブタジエンスチレン（「ＡＢＳ」）で構成される。ハンドル１０００も、図１に示すように、一体型またはモノリシック設計である。この単一体構造により、ハンドル１０００は製造が容易で、同じ構造の材料を持つマルチ構成要素設計よりも強力である。
【００２３】
再び図１を参照すると、ハンドル１０００は、長手方向軸１００を有することができる。ハンドル１０００は、長手方向軸１００に沿ってハンドル１０００を貫通して配置された縦方向ボア２００をさらに有することができる。縦方向ボア２００は、ハンドル１０００の近位端１００１で開いている。
【００２４】
再び図１を参照すると、ハンドル１０００は、横方向ボア３００をさらに有することができる。横方向ボア３００は、図１に示すように、ハンドル１０００の本体１００５を貫通して配置される。横方向ボア３００は、長手方向軸７００を有することができる。横方向ボア３００は縦方向ボア２００と交差する。好ましくは、横方向ボア３００は縦方向ボア２００に対して垂直である。横方向ボア３００はまた、第１の開口部および第２の開口部を有することができる。
【００２５】
さらに図１を参照すると、ハンドル１０００は、ボタン４００をさらに有することができる。ボタン４００は、図１に示すように、ハンドル１０００に柔軟に取り付けられる。ボタン４００は、縦方向ボア２００と交差する横方向ボア３００を貫通して延在してもよい。ボタン４００および横方向ボア３００は、ボタン４００が親指でアクセス可能および／または押し下げ可能であるように、ハンドル１０００の本体１００５上に配置されてもよい。ボタン４００をハンドル１０００の近位端１００１の近くに配置すると、ボタン４００もハンドル１０００のツール係合部分の近くに配置される。ハンドル１０００は、ハンドル１０００を手で保持、把持、または使用できるように構成（例えば、成形および寸法決め）して、第５指および小指球領域がハンドル１００２の遠位端の近くまたは周囲に配置されるようにすることができ、ハンドル１０００が手のひらを横切って第１の指と第２の指の間の領域の方向に延びているため、第１指または親指はボタン４００に容易にアクセスして押すことができる。
【００２６】
有利には、単一体設計のために、本発明に従って作製された装置は、ばねなどの追加の構成要素を有していなくてもよい。ボタン４００は、弾性部材８００によって本体１００５に接続される。したがって、本発明は、製造するのにより安価であり、使用するのが簡単であり得る。さらに、この装置は安価に製造できるため、理想的には１回使用の（例えば使い捨ての）装置に適している。装置は無菌パッケージから取り出され、一度だけ使用されるので、清潔さが保証される。
【００２７】
ここで図２を参照すると、本発明による使い捨ての解放可能なハンドル１０００の下側斜視図が示されている。バックストップ５００が示されている。図１および図２を参照すると、ボタン４００は、長手方向に横方向ボア３００内に延在することができる厚さを有する。
【００２８】
ここで図３を参照すると、ボタンボア４０１およびボス６００を有するボタンを備えたハンドル１０００の実施形態が示されている。ボタンボア４０１は、ボタン４００の溝または切り抜き部分であってもよく、ボタンボア４０１は、縦方向ボア２００において、ハンドル１０００に挿入された共通の外科用ツールの端部の接続特徴部（図示せず）を収容するように構成される。
【００２９】
ここで図１〜図３を参照すると、本発明の機構で機能するように適合された外科用器具が、ハンドル１０００の縦方向ボア２００に挿入され得ることが企図される。このような外科用器具の端部は、外科用器具の端部がバックストップ５００に接触するまで縦方向ボア２００に挿入され得、その時点で、さらなる挿入は阻害され得る。ツールの挿入された端部と係合し得る「クリック特徴部」を有することができるボタン４００の実施形態があり得る。クリック特徴部は、ツールと係合し、例えば、外科用ツールの有効な端部によって引き起こされる長手方向の力が引っ掛かり、ハンドルが引き離されるなど、解放力に対する抵抗を最小限に抑えることができる。ボタン４００を押すことにより、横方向の力が外科用ツールの端部に加えられ、追加の力を提供して、外科用器具が解放力によって引き抜かれるのを防ぐ。そのような実施形態の下では、ツールは、ハンドルからツールを手動で引っ張ることによって取り外すことができる。この実施形態では、ボタンボアは、外科用ツールと係合するのに十分に延在し、ボタンの下側は、ツールの溝との位置合わせ機構を有する。
【００３０】
図１〜図３をさらに参照すると、ハンドル１０００に挿入可能な外科用ツールまたは器具は、ハンドル１０００上のコネクタを収容するための溝またはアタッチメントを有することができる。ボス６００は、ハンドル１０００の縦方向ボア２００に挿入され得る外科用ツール（図示せず）上の対応する溝または窪みと協働するように適合されている。外科用ツールがハンドル１０００に挿入されると、ボス６００はツールの溝内に付勢される。しかしながら、ユーザは、ボタン４００を押して、ボス６００がツール内の溝から枢動するようにすることにより、ハンドル１０００からツールを外すことができる。外科用ツールは、ツールの溝に嵌め込まれたボス６００と接続して、解放力に対する大きな抵抗を提供することができる。しかしながら、ハンドル１０００を介してユーザによって外科用ツールに加えられるかなりの力に応じて、ツールは依然として引っ張られ得る。
【００３１】
図１〜図３を参照すると、ボタン４００は、縦方向ボア２００に挿入された外科用ツールがボタンボア４０１の中またはそれを貫通して延在するように、縦方向ボア２００と整列可能なボタンボア４０１を有することができる。ボス６００は、ボタンボア内に配置されて、縦方向ボアに挿入され、ボタンボア４０１に延在するツール（図示せず）の溝と係合することができる。「ボタンボア」という用語が使用されているが、ボタンボア４０１は、ボタン４００の穴またはギャップであってもよく、ボタン４００を貫通して延在する必要はない。ボタンボア４０１はまた、ボス６００とのより容易な接続のためのツールを収容するように、任意の方法で寸法決めおよび成形されてもよい。
【００３２】
本発明の代替的な実施形態では、ボタン４００は、ボタン４００の第１の側が横方向ボア３００の第１の開口部内にあり、ボタン４００の第２の側が第２のボア開口部内にあるように、横方向ボア３００を貫通して延在することができる。ボタン４００および横方向ボア３００は、ボタン４００が親指でユーザがアクセス可能および／または押し下げ可能であるように、ハンドル１０００の本体１００５上に配置されてもよい。ボタン４００をハンドル１０００の近位端１００１の近くに配置すると、ボタン４００もハンドル１０００のツール係合部分の近くに配置される。ハンドル１０００は、ハンドル１０００を手で保持、把持、または使用できるように構成（例えば、成形および寸法決め）して、第５指および小指球領域がハンドル１００２の遠位端の近くまたは周囲に配置されるようにすることができ、ハンドル１０００が手のひらを横切って第１の指と第２の指の間の領域の方向に延びているため、第１指または親指はボタン４００の第１の側に容易にアクセスして押すことができる。ボス６００は、縦方向ボア２００から離れるように（すなわち、横方向ボア３００の外に）付勢され得る。ボタンボア４０１は、外科医がボタンボアに挿入されるように、ボタン４００内に十分深くすることができる。ボタン４００の第１の側を押すことにより、ボス６００は、縦方向ボア２００に挿入された対応するツールと係合することができる。ボタン４００が押されると、ハンドル１０００は、縦方向ボア２００に挿入された協働する外科用器具を選択的に係合または係合解除する。ボス６００は、ボタン４００に直接対向するツールの側と係合するので、外科用ツールはボタンボア４０１内に挿入される。この実施形態では、ユーザは、ハンドル１０００と、ハンドル１０００の縦方向ボア２００に挿入された任意の外科用ツールまたは装置との間の接続の強度を制御することができる。ボタン４００の第２の側は、人差し指がボタン４００の第２の側に容易にアクセスしてそれを押し下げることができるように配置され得る。ボタン４００の第２の側を押すことにより、外科用ツールに追加の力を加えて、ツールが解放力によって取り外されるのを防止または阻止することができる。ボス６００がツール内の溝から枢動するように、第１の側のボタン４００を押すことにより、ツールをハンドル１０００から外すことができる。この実施形態では、ユーザは、ハンドル１０００と、ハンドル１０００の縦方向ボア２００に挿入された任意の外科用ツールまたは装置との間のボア接続の強度を制御することができる。
【００３３】
本体（例えば、本体１００５）は、例えば、熱可塑性ポリマーおよびガラス繊維強化ポリマーを含む、軽量で使い捨てまたはリサイクル可能な材料で作製されてもよい。
【００３４】
本発明を少なくとも１つの実施形態に関して説明してきたが、本発明は、この開示の趣旨および範囲内でさらに修正することができる。したがって、本願は、その一般的な原理を使用する本発明のあらゆる変形、使用、または適合を網羅することを意図している。さらに、本願は、本発明が関係し、添付の特許請求の範囲内にある当該技術分野での公知のまたは慣習的な実施に含まれる、本開示からのそのような逸脱を包括することを意図している。
【図１】
2021514812.tif 000003
【図２】
2021514812.tif 000004
【図３】
2021514812.tif 000005
【国際調査報告】
2021514812.tif 000006